(57)【要約】  全体としてパネル状の表示領域（Ｓ）を構成するように並設された複数の放電管（１０）と、各放電管に沿うように配置されたアドレス電極（Ａ）と、各放電管と交差するように配置され、互いに平行な電極（Ｘ，Ｙ）の対からなる複数の表示電極対と、を備え、各放電管において、各表示電極対が交差する領域を発光単位部分として放電発光させるように構成された３電極面放電型表示装置（１）の駆動方法であって、表示領域は、各放電管が延びる方向について複数の部分表示領域（Ｓ１，Ｓ２）に分割されており、各部分表示領域では、電極（Ｙ）にスキャンパルス電圧を順次印加しつつアドレス電極（Ａ）に所与のアドレスパルス電圧を印加してアドレス放電を発生させるアドレス期間の動作が別個に実行され、各部分表示領域ごとのアドレス期間の動作は、スキャンパルス電圧を順次印加する方向が隣接する部分表示領域において互いに異なるように実行される。
2007108111.tif 000002
【特許請求の範囲】
【請求項１】
所定長さ直線状に延びる放電管が複数並設され、全体としてパネル状をなす放電管群と、この放電管群の一面側において各放電管に沿うように配置されたアドレス電極と、上記放電管群の他面側において各放電管の長手方向と交差するように配置され、それぞれが互いに平行なスキャン電極と維持電極の対からなる複数の表示電極対と、を備え、各放電管において、各表示電極対が交差する領域を発光単位部分として放電発光させるように構成された３電極面放電型表示装置の駆動方法であって、
上記放電管群により形成される表示領域は、各放電管が延びる方向について、上記各アドレス電極を複数の部分アドレス電極に分割することにより複数の部分表示領域に分割されており、
各部分表示領域では、上記スキャン電極にスキャンパルス電圧を順次印加しつつ上記部分アドレス電極に所与のアドレスパルス電圧を印加してアドレス放電を発生させるアドレス期間の動作が別個に実行され、
各部分表示領域ごとの上記アドレス期間の動作は、上記スキャンパルス電圧を順次印加する方向が、少なくとも２つの隣接する部分表示領域において互いに異なるように実行されることを特徴とする、３電極面放電型表示装置の駆動方法。
【請求項２】
隣接する部分表示領域ごとに、部分表示領域の境界を挟んで隣り合う上記スキャン電極に対して同時期にスキャンパルス電圧を印加する、請求項１に記載の駆動方法。
【請求項３】
各部分表示領域ごとの上記アドレス期間の動作は、上記スキャンパルス電圧を順次印加する方向が、隣接する部分表示領域においてそれぞれ互いに異なるように実行される、請求項２に記載の駆動方法。
【請求項４】
上記放電発光要素群は、隣接する部分表示領域の対からなる１または２以上の部分表示領域対により構成されており、
上記部分表示領域対ごとに、上記部分表示領域の境界を挟んで隣り合う上記スキャン電極に対して、上記アドレス期間での上記スキャンパルス電圧を順次印加する動作における最後にスキャンパルス電圧を印加する、請求項１に記載の駆動方法。
【請求項５】
上記アドレス期間での上記スキャンパルス電圧を順次印加する動作における最初または／および最後のスキャンパルス電圧と、これに対応するアドレスパルス電圧との絶対値の総和は、他のスキャンパルス電圧およびこれに対応するアドレスパルス電圧の絶対値の総和よりも大きい、請求項１に記載の駆動方法。
【請求項６】
上記アドレス期間での上記スキャンパルス電圧を順次印加する動作における最初または／および最後のスキャンパルス電圧のパルス幅は、他のスキャンパルス電圧のパルス幅よりも広い、請求項１に記載の駆動方法。
【請求項７】
請求項１ないし６のいずれかに記載の駆動方法により駆動させられる、表示装置。
【請求項８】
所定長さ直線状に延びる放電発光要素が複数並設され、全体としてパネル状をなす放電発光要素群と、この放電発光要素群の一面側において各放電発光要素に沿うように配置されたアドレス電極と、上記放電発光要素群の他面側において各放電発光要素と交差するように配置され、それぞれが互いに平行なスキャン電極と維持電極の対からなる複数の表示電極対と、を備え、各放電発光要素において、各表示電極対が交差する領域を発光単位部分として放電発光させるように構成された３電極面放電型表示装置の駆動方法であって、
上記放電発光要素群により形成される表示領域は、各放電発光要素が延びる方向について、上記各アドレス電極を複数の部分アドレス電極に分割することにより複数の部分表示領域に分割されており、
各部分表示領域では、上記スキャン電極にスキャンパルス電圧を順次印加しつつ上記部分アドレス電極に所与のアドレスパルス電圧を印加してアドレス放電を発生させるアドレス期間の動作が別個に実行され、
各部分表示領域ごとの上記アドレス期間の動作は、上記スキャンパルス電圧を順次印加する方向が、少なくとも２つの隣接する部分表示領域において互いに異なるように実行されることを特徴とする、３電極面放電型表示装置の駆動方法。
【発明の詳細な説明】
【技術分野】
【０００１】
本発明は、例えばフラットパネルディスプレイとして利用される３電極面放電型表示装置の駆動方法、およびその駆動方法により駆動させられる表示装置に関する。
【背景技術】
【０００２】
従来の３電極面放電型の表示装置の一例としては、下記の特許文献１に開示されたものがある。この表示装置は、前面側の透明な基板と背面側の基板との間に複数の細長い放電管を並列に配置し、これらの基板と放電管とを接着剤などで貼り合わせたラミネート構造からなる。各放電管の内部の所望領域には、蛍光体層が設けられている。前面側の基板の内面には、並設された複数の放電管と交差状に接触し、互いに平行なスキャン電極と維持電極の対からなる複数の表示電極対が形成されている。背面側の基板の内面には、各放電管に沿って接触するアドレス電極が形成されている。各放電管において、各表示電極対が交差する領域が発光単位部分（発光セル）となっている。また、各表示電極対により表示ラインが形成されており、当該表示ラインが配列された領域により表示領域が形成される。【０００３】
このような構造の表示装置を用いて画像を表示させる際には、階調表示を実現するため、例えば、アドレス表示期間分離法（ＡＤＳ法）と呼称される駆動方法が採用される。ＡＤＳ法においては、１フレーム（１画面の表示期間）は、輝度の重み付けをした複数のサブフィールドに分割されており、各サブフィールドは、全ての発光単位部分の電荷を均一化するリセット期間と、発光させるべき発光セルを選択するアドレス期間と、選択された発光セルを発光させるサステイン期間とから構成される。【０００４】
リセット期間では、全てのスキャン電極と維持電極との間にリセット電圧を印加し、各発光セルの不要な電荷が消去される。アドレス期間では、スキャン電極に対してスキャンパルス電圧を順次印加しつつ、アドレス電極に対して表示データに従って所与のアドレスパルス電圧を印加する。これにより、スキャン電極とアドレス電極との間にアドレス放電が発生し、所望の発光セルに壁電荷が蓄積される。サステイン期間では、スキャン電極と維持電極に交互にサステインパルス電圧を印加する。その結果、壁電荷が蓄積されている発光セルだけが放電発光する。サステイン期間でのサステインパルスの数は、サブフィールドにおける輝度の重みに対応して決定される。【０００５】
これらのリセット期間、アドレス期間、サステイン期間の動作を行なうことにより１つのサブフィールドを完了する。そして、所定数のサブフィールドを繰り返すことにより１フレームの表示が面的に行なわれ、この１フレームの表示が連続されることで動画が表示される。このような駆動方法では、アドレス期間において発光させるべき発光セルを選択し、サステイン期間において選択された発光セルを一斉に放電発光させることができるため、効率的に時間を使うことができる。【０００６】
３電極面放電型表示装置の駆動において、アドレス放電は、スキャンパルス電圧を順次印加することにより実行されるため、放電管が延びる方向の一端側の表示ラインから開始され、他端側の表示ラインに向けて順次移行して行なわれる。アドレス放電が順次連続して行なわれると、当該アドレス放電により生じた電子やイオンなどの荷電粒子（プライミング粒子）が次の発光セルに順次供給され、このプライミング粒子が種火としての役割を果たすこと（プライミング効果）により、各発光セルにおいてアドレス放電が安定的に行なわれる。その一方、直前の発光セルからのプライミング粒子の供給が不十分な場合には、アドレス放電のミス（放電ミス）が起こりやすくなる。アドレス期間が開始される一端側の表示ラインでは、物理的に直前の発光セルからのプライミング粒子の供給がないため、上記した放電ミスが起こる確率は、比較的に高くなる。このような放電ミスが起こると、本来は発光されるはずの発光セルが非発光となるので、表示品位が低下することになる。【０００７】
ところで、表示画面の大型化や高精細化を図るためには、表示ラインの数を増やすことが必要とされる。また、高階調表示を実現するためには、サブフィールドの数を増やすことが必要とされる。ところが、表示ラインの数を増大させることやサブフィールドの数を増加させることは、アドレス期間の増大に繋がる。一方、１フレームの長さは、例えばテレビジョン放送の場合には１６．７ｍｓ（１／６０秒）と固定されている。このため、上記したアドレス期間の増大は、サステイン期間の減少を引き起こし、その結果、輝度の低下を招くことになる。【０００８】
このような表示ラインの数やサブフィールドの数の増大によるアドレス期間の増大を回避するため、アドレス電極を分割させて、表示領域を２以上の部分表示領域に分割する場合がある。例えば、表示領域を上下に並ぶ２つの部分表示領域に分割する場合には、それぞれの部分表示領域において、スキャン電極に対して同時並行的にスキャンパルス電圧を順次印加することができるので、アドレス期間を半減することができる。ところが、部分表示領域の境界は表示領域の中央に位置するので、当該境界の傍の表示ラインから開始されるアドレス動作では、その表示ラインで放電ミスが起こると表示領域の中央が非発光となる。このように表示領域中央の表示ラインが非発光となると、取り分け目立ち、表示品位のより一層の低下を招くことになる。【０００９】
【特許文献１】特開２００３−８６１４２号公報
【発明の開示】
【００１０】
本発明は、このような事情のもとに考えだされたものである。本発明は、表示領域を複数の部分表示領域に分割してアドレス期間の短縮を図る場合において、部分表示領域の境界近傍でのアドレス放電のミスを効果的に防止することができる駆動方法を提供することを課題としている。
【００１１】
上記の課題を解決するため、本発明では、次の技術的手段を講じている。
【００１２】
本発明の第１の側面によって提供される３電極面放電型表示装置の駆動方法は、所定長さ直線状に延びる放電管が複数並設され、全体としてパネル状をなす放電管群と、この放電管群の一面側において各放電管に沿うように配置されたアドレス電極と、上記放電管群の他面側において各放電管の長手方向と交差するように配置され、それぞれが互いに平行なスキャン電極と維持電極の対からなる複数の表示電極対と、を備え、各放電管において、各表示電極対が交差する領域を発光単位部分として放電発光させるように構成された３電極面放電型表示装置の駆動方法であって、上記放電管群により形成される表示領域は、各放電管が延びる方向について、上記各アドレス電極を複数の部分アドレス電極に分割することにより複数の部分表示領域に分割されており、各部分表示領域では、上記スキャン電極にスキャンパルス電圧を順次印加しつつ上記部分アドレス電極に所与のアドレスパルス電圧を印加してアドレス放電を発生させるアドレス期間の動作が別個に実行され、各部分表示領域ごとの上記アドレス期間の動作は、上記スキャンパルス電圧を順次印加する方向が、少なくとも２つの隣接する部分表示領域において互いに異なるように実行されることを特徴としている。
【００１３】
好ましくは、隣接する部分表示領域ごとに、部分表示領域の境界を挟んで隣り合う上記スキャン電極に対して同時期にスキャンパルス電圧を印加する。
【００１４】
好ましくは、各部分表示領域ごとの上記アドレス期間の動作は、上記スキャンパルス電圧を順次印加する方向が、隣接する部分表示領域においてそれぞれ互いに異なるように実行される。
【００１５】
好ましくは、上記放電発光要素群は、隣接する部分表示領域の対からなる１または２以上の部分表示領域対により構成されており、上記部分表示領域対ごとに、上記部分表示領域の境界を挟んで隣り合う上記スキャン電極に対して、上記アドレス期間での上記スキャンパルス電圧を順次印加する動作における最後にスキャンパルス電圧を印加する。
【００１６】
好ましくは、上記アドレス期間での上記スキャンパルス電圧を順次印加する動作における最初または／および最後のスキャンパルス電圧と、これに対応するアドレスパルス電圧との絶対値の総和は、他のスキャンパルス電圧およびこれに対応するアドレスパルス電圧の絶対値の総和よりも大きい。
【００１７】
好ましくは、上記アドレス期間での上記スキャンパルス電圧を順次印加する動作における最初または／および最後のスキャンパルス電圧のパルス幅は、他のスキャンパルス電圧のパルス幅よりも広い。
【００１８】
本発明の第２の側面によって提供される表示装置は、本発明の第１の側面によって提供される駆動方法により駆動させられる。
【００１９】
本発明の第３の側面によって提供される３電極面放電型表示装置の駆動方法は、所定長さ直線状に延びる放電発光要素が複数並設され、全体としてパネル状をなす放電発光要素群と、この放電発光要素群の一面側において各放電発光要素に沿うように配置されたアドレス電極と、上記放電発光要素群の他面側において各放電発光要素と交差するように配置され、それぞれが互いに平行なスキャン電極と維持電極の対からなる複数の表示電極対と、を備え、各放電発光要素において、各表示電極対が交差する領域を発光単位部分として放電発光させるように構成された３電極面放電型表示装置の駆動方法であって、上記放電発光要素群により形成される表示領域は、各放電発光要素が延びる方向について、上記各アドレス電極を複数の部分アドレス電極に分割することにより複数の部分表示領域に分割されており、各部分表示領域では、上記スキャン電極にスキャンパルス電圧を順次印加しつつ上記部分アドレス電極に所与のアドレスパルス電圧を印加してアドレス放電を発生させるアドレス期間の動作が別個に実行され、各部分表示領域ごとの上記アドレス期間の動作は、上記スキャンパルス電圧を順次印加する方向が、少なくとも２つの隣接する部分表示領域において互いに異なるように実行されることを特徴としている。
【図面の簡単な説明】
【００２０】
【図１】本発明に係る駆動方法を適用する表示装置の一例の概略構成を示す全体斜視図である。
【図２】図１に示す表示装置の要部斜視図である。
【図３】図１に示す表示装置の要部断面図である。
【図４】図１に示す表示装置の電極構造を示す平面図である。
【図５】図１に示す表示装置の要部断面図である。
【図６】本発明に係る駆動方法の一例を示す駆動波形図である。
【図７】本発明に係る駆動方法の他の例を示す駆動波形図である。
【図８】本発明に係る駆動方法を適用する表示装置の他の例の電極構造を示す平面図である。
【図９】本発明に係る駆動方法の他の例を示す駆動波形図である。
【発明を実施するための最良の形態】
【００２１】
本発明の好ましい実施の形態について図面を参照しつつ具体的に説明する。図１〜図５は、本発明に係る駆動方法を適用する表示装置の一例を表す。表示装置１は、放電管を放電発光要素とするカラー表示用の３電極面放電型表示装置である。【００２２】
図１〜図３に示されているように、表示装置１は、前面側の透明な基板２０（図２では便宜上図示略）と、背面側の基板２１と、これらの基板２０，２１の間に並列に配置された複数の放電管１０と、複数の表示電極対３０と、複数のアドレス電極３１とを備える。【００２３】
図３に表れているように、放電管１０は、例えば断面略矩形状の細長いガラス管からなり、基板２０，２１の間に挟まれた状態で接着剤などを介して基板２０，２１と接合されている。放電管１０の内壁面には、ガラス保護用のＭｇＯ膜１１が一様に形成されており、ＭｇＯ膜１１の表面には、蛍光体層１２が形成されている。蛍光体層１２は、より詳細には、図３または図５に表れているように、背面側の基板２１寄りの所望領域に形成されている。蛍光体層１２は、カラー表示の３原色となるＲ（赤）、Ｇ（緑）、Ｂ（青）のうち、いずれか一色の蛍光体からなる。放電管１０の内部には、放電ガス（例えば、ＮｅとＸｅとの混合ガス）が封入されており、放電管１０の両端部は封止されている。上記構成の放電管１０は、ＲＧＢの順に並べられている。【００２４】
図３に表れているように、前面側および背面側の基板２０，２１は、透明な樹脂で板状に形成されたものである。なお、背面側の基板２１は、透明性を有していなくてもよい。前面側の基板２０の内面には、各放電管１０と交差するように接して横方向に延びるように複数の表示電極対３０が形成されている。表示電極対３０は、スキャン電極Ｙと維持電極Ｘの対からなる（図２参照）。一対の電極Ｘ，Ｙは、互いに所定の間隔を隔てて平行に配置されている。電極Ｘ，Ｙは、例えば蒸着法やスパッタリング法などにより電極材料を成膜し、その後エッチングにより不要部分を除去することにより形成される。電極Ｘ，Ｙを構成する材料としては、ＩＴＯ（酸化錫インジウム）などの透明電極材料が挙げられる。各対をなす電極Ｘ，Ｙの一部の表面には、電流を効率よく流すためのバスライン（図示せず）が形成されている。各放電管１０が各表示電極対３０と交差する領域が発光単位部分（発光セル）となっている。各表示電極対３０（一対の電極Ｘ，Ｙ）により表示ラインが形成されており、当該表示ラインは、放電管１０の延びる方向に沿って等間隔に配列されている。本実施形態では、表示ラインの数は２ｎ本とされており、これら２ｎ本の表示ラインが並ぶ領域により表示領域Ｓが形成される。【００２５】
図１〜図３に表れているように、背面側の基板２１の内面には、表示電極対３０と交差しつつ各放電管１０に沿って縦方向に延びるように複数のアドレス電極３１が形成されている。アドレス電極３１は、例えば導電性の高い金属を蒸着法やスパッタリング法により成膜し、その後エッチングにより不要部分を除去することにより形成される。図４または図５に表れているように、本実施形態では、各アドレス電極３１は、表示領域Ｓの上側からｎ番目の表示ラインとｎ＋１番目の表示ラインの間を境界Ｂ１として、部分アドレス電極Ａ１と部分アドレス電極Ａ２に分離されている。これにより、表示領域Ｓは、境界Ｂ１を挟んで分割された２つの部分表示領域Ｓ１，Ｓ２から構成される。なお、表示装置１の各電極には、電圧を印加するための図示しない駆動ＩＣが接続されている。具体的には、部分アドレス電極Ａ１，Ａ２のそれぞれに電圧を印加するための第１および第２の駆動ＩＣと、表示領域Ｓを構成する全ての維持電極Ｘに電圧を印加するための第３の駆動ＩＣと、部分表示領域Ｓ１を構成するスキャン電極Ｙに電圧を印加するための第４の駆動ＩＣと、部分表示領域Ｓ２を構成するスキャン電極Ｙに電圧を印加するための第５の駆動ＩＣとが設けられている。【００２６】
次に、上記構成の表示装置１の駆動方法の一例について説明する。表示装置１を用いて画像を表示させる際には、ＡＤＳ法により駆動させられる。即ち、１フレームは、例えば、輝度の重み付けをした８つのサブフィールドに分割されている。図６は、１つのサブフィールドＳＦにおける駆動波形図である。サブフィールドＳＦは、リセット期間ＴＲと、アドレス期間ＴＡと、サステイン期間ＴＳとで構成される。【００２７】
リセット期間ＴＲは、それ以前の点灯状態の影響を防ぐため、部分表示領域Ｓ１，Ｓ２の壁電荷の消去を行なう期間である。リセット期間ＴＲでは、全てのスキャン電極Ｙと維持電極Ｘとの間にリセット電圧を一斉に印加することにより、各発光セルの不要な電荷が消去される。【００２８】
アドレス期間ＴＡは、表示データに基づいて発光させるべき発光セルにてアドレス放電を発生させ、当該発光セルに壁電荷を蓄積させる期間である。アドレス期間ＴＡでは、維持電極Ｘをグランド電位に対して正電位にバイアスしておく。この状態で、部分表示領域Ｓ１，Ｓ２のそれぞれにおいて、一端側の表示ラインから他端側の表示ラインに向けて、スキャン電極Ｙに対して波高値Ｖｙの負極性のスキャンパルス電圧を順次印加（スキャン）する。本実施形態では、部分表示領域Ｓ１については表示領域Ｓの上端から中央への下向きにスキャンし、部分表示領域Ｓ２については表示領域Ｓの下端から中央への上向きにスキャンする（図４において各部分表示領域のスキャン方向を矢印で示す。）。即ち、部分表示領域Ｓ１については、アドレス期間ＴＡの最初に１番目の表示ライン（スキャン電極Ｙ（１））にスキャンパルス電圧を印加し、アドレス期間ＴＡの最後にｎ番目の表示ライン（スキャン電極Ｙ（ｎ））にスキャンパルス電圧を印加する。一方、部分表示領域Ｓ２については、アドレス期間ＴＡの最初に２ｎ番目の表示ライン（スキャン電極Ｙ（２ｎ））にスキャンパルス電圧を印加し、アドレス期間ＴＡの最後にｎ＋１番目の表示ライン（スキャン電極Ｙ（ｎ＋１））にスキャンパルス電圧を印加する。このスキャンパルス電圧の印加と同期して、発光させるべき発光セルに対応した部分アドレス電極Ａ１，Ａ２に対して波高値Ｖａの正極性のアドレスパルス電圧を印加する。ここで、アドレスパルス電圧が印加された発光セルでは、部分アドレス電極Ａ１，Ａ２とスキャン電極Ｙとの間でアドレス放電が発生し、壁電荷が蓄積される。維持電極Ｘはアドレスパルス電圧と同極性の正電位にバイアスされているので、アドレスパルス電圧は打ち消され、維持電極Ｘと部分アドレス電極Ａ１，Ａ２との間では放電は発生しない。【００２９】
サステイン期間ＴＳは、選択された発光セルを発光させる期間である。サステイン期間ＴＳでは、対向放電を防止するために全ての部分アドレス電極Ａ１，Ａ２をグランド電位に対して正電位にバイアスしつつ、スキャン電極Ｙと維持電極Ｘに交互に波高値Ｖｓの正極性のサステインパルス電圧を印加する。その結果、壁電荷が蓄積されている発光セルだけが放電発光する。サステイン期間ＴＳにて印加するサステインパルスの数は、サブフィールドにおける輝度の重みに対応して決定される。【００３０】
本実施形態では、表示領域Ｓの全体のアドレス期間ＴＡを短縮するために、表示領域Ｓを２つの部分表示領域Ｓ１，Ｓ２に分割し、部分表示領域Ｓ１，Ｓ２を同時にアドレスしている。そして、アドレス期間ＴＡでのスキャン動作における最初にスキャンパルス電圧を印加する表示ライン（スキャン開始ライン）は、表示領域Ｓの上端および下端に位置しており、部分表示領域Ｓ１，Ｓ２のスキャン方向は異ならせられている。一般に、スキャン開始ラインでは、直前の発光セルからのプライミング粒子の供給がないので、その分、放電ミスが起こる確率は他のラインよりも高くなる。本実施形態では、放電ミスの発生確率が比較的に高いスキャン開始ラインが表示領域Ｓの上下端に位置するように駆動方法を工夫しているため、スキャン開始時に放電ミスが発生して非発光となっても、比較的に目立たないものとすることができる。その結果、表示品位の改善を図ることができる。また、アドレス期間ＴＡでのスキャン動作における最後にスキャンパルス電圧を印加する表示ライン（スキャン終了ライン）は、表示領域Ｓの中央部において境界Ｂ１を挟んで隣接している。そのため、スキャン終了ラインにおいては、直前にアドレス放電した発光セルからのプライミング効果や隣接セルでの同時放電による効果が重畳され、最もアドレス放電しやすい状態となる。このことは、表示品位において重要な表示領域Ｓの中央部での放電ミスの発生を効果的に防止することを意味し、表示品位の改善を図るうえで好適である。【００３１】
次に、表示装置１の駆動方法の他の例について、図７に示す駆動波形図を参照して説明する。【００３２】
本駆動方法においては、アドレス期間ＴＡでのスキャン開始ラインおよびスキャン終了ラインのスキャンパルス電圧の波高値Ｖｙｐ，Ｖｙｆが、他のスキャンパルス電圧の波高値Ｖｙよりも大きくされており、スキャン開始ラインおよびスキャン終了ラインのスキャンパルス電圧のパルス幅Ｗｙｐ，Ｗｙｆが、他のスキャンパルス電圧のパルス幅Ｗｙよりも広くされている。【００３３】
本駆動方法では、スキャン開始ラインおよびスキャン終了ラインのスキャンパルス電圧の波高値を大きくすることにより、対応する部分アドレス電極Ａ１，Ａ２との間の実効電圧が最も大きくされている。また、スキャン開始ラインおよびスキャン終了ラインでのスキャンパルス電圧の印加時間が最も長くされている。これにより、スキャン開始ラインおよびスキャン終了ラインでは、アドレス放電の発生確率が高められる。したがって、このような駆動方法は、直前の発光セルからのプライミング効果が得られないスキャン開始ラインについては、放電ミスの発生を防止するうえで好適である。また、表示品位上重要な表示領域Ｓの中央部に位置するスキャン終了ラインについては、放電ミスの発生をより適確に防止し、表示品位のより一層の改善を図るうえで好適である。【００３４】
次に、本発明に係る駆動方法を適用する表示装置の他の例について、図８を参照して説明する。同図においては、上記実施形態と同一または類似の要素には、同一の符号を付しており、適宜説明を省略する。【００３５】
表示装置１’は、基本構造としては図１に表された表示装置１と同様であり、前面側および背面側の基板２０，２１と、これら基板２０，２１の間に並列に配置された複数の放電管１０と、複数の表示電極対３０と、複数のアドレス電極３１とを備える。表示装置１’においては、図８に表れているように、表示領域Ｓの全体における表示ラインの数は４ｎ本とされている。また、各アドレス電極３１は、表示領域Ｓの上側からｎ番目の表示ラインとｎ＋１番目の表示ラインの間、２ｎ番目の表示ラインと２ｎ＋１番目の表示ラインの間、および３ｎ番目の表示ラインと３ｎ＋１番目の表示ラインの間を境界Ｂ１，Ｂ２，Ｂ３として、部分アドレス電極Ａ１，Ａ２，Ａ３，Ａ４に分離されている。これにより、表示領域Ｓは、境界Ｂ１，Ｂ２，Ｂ３を挟んで分割された４つの部分表示領域Ｓ１，Ｓ２，Ｓ３，Ｓ４から構成される。即ち、表示ラインｎ本ごとに部分表示領域Ｓ１，Ｓ２，Ｓ３，Ｓ４が対応している。【００３６】
上記構成の表示装置１’を用いて画像を表示させる際には、上記実施形態の表示装置１の場合と同様にＡＤＳ法により駆動させられる。図９は、１つのサブフィールドＳＦにおける駆動波形図である。【００３７】
図９に表れているように、表示装置１’の駆動では、４つの部分表示領域Ｓ１，Ｓ２，Ｓ３，Ｓ４のアドレス期間ＴＡでのスキャン動作は、同時に並行して実行される。部分表示領域Ｓ１，Ｓ３についての駆動波形は、表示装置１に関して表された図６における部分表示領域Ｓ１に対応するものと同様であり、部分表示領域Ｓ２，Ｓ４についての駆動波形は、図６における部分表示領域Ｓ２に対応するものと同様である。このことから理解できるように、本実施形態では、部分表示領域Ｓ１，Ｓ３のスキャン方向は下向きであり、部分表示領域Ｓ２，Ｓ４のスキャン方向は上向きである（図８において各部分表示領域のスキャン方向を矢印で示す。）。したがって、隣接する部分表示領域については、そのスキャン方向が異ならせられている。また、部分表示領域Ｓ１，Ｓ２の対と、部分表示領域Ｓ３，Ｓ４の対に着目すると、各対において、スキャン開始ラインはその上端および下端に位置し、スキャン終了ラインはその中央において隣接する。したがって、上述した表示装置１のスキャン開始ラインおよびスキャン終了ラインに関する効果と同様の効果が得られる。即ち、スキャン開始ラインのうち、部分表示領域Ｓ１の上端および部分表示領域Ｓ４の下端に位置するものについては、表示領域Ｓの上下端に位置するので、スキャン開始時に放電ミスが発生して非発光となっても、比較的に目立たないものとすることができる。スキャン終了ラインは、部分表示領域の対の中央部において隣接しているため、直前にアドレス放電した発光セルからのプライミング効果や隣接セルでの同時放電による効果が重畳され、放電ミスの発生を効果的に防止することができる。一方、スキャン開始ラインのうち、部分表示領域Ｓ２の下端および部分表示領域Ｓ３の上端に位置するものについては、表示領域Ｓの中央部において境界Ｂ２を挟んで隣接しているため、隣接セルでの同時放電によるプライミング効果により、放電ミスの発生を防止することができる。なお、例えば表示領域Ｓの中央に位置するスキャン開始ラインについて、スキャンパルス電圧の波高値を大きくする、あるいはスキャンパルス電圧のパルス幅を広くすれば、放電ミスの発生をより適確に防止することができる。【００３８】
以上、本発明の実施形態を説明したが、本発明の範囲は上記した実施形態に限定されるものではない。本発明に係る駆動方法を適用する３電極面放電型表示装置の具体的な構成は、発明の思想から逸脱しない範囲内で種々に変更が可能である。例えば、本発明に係る駆動方法は、ＰＤＰ（プラズマディスプレイパネル）など他の構成を有する３電極面放電型表示装置に適用することができる。【００３９】
上記実施形態では、表示領域が同じ本数の表示ラインからなる部分表示領域で構成される場合について説明したが、部分表示領域の表示ラインの数を必ずしも同一にする必要はない。部分表示領域ごとの表示ラインの数が異なる場合には、アドレス動作における部分表示領域ごとのスキャンパルス電圧のパルス幅を異ならせるなどの手法により、部分表示領域ごとにスキャン開始ラインやスキャン終了ラインのアドレッシングが同時期に行なわれるようにしておくのが好ましい。また、表示領域を構成する部分表示領域の数としては、３または５以上とすることができる。
【図１】
2007108111.tif 000003
【図２】
2007108111.tif 000004
【図３】
2007108111.tif 000005
【図４】
2007108111.tif 000006
【図５】
2007108111.tif 000007
【図６】
2007108111.tif 000008
【図７】
2007108111.tif 000009
【図８】
2007108111.tif 000010
【図９】
2007108111.tif 000011
【国際調査報告】
2007108111.tif 000012
2007108111.tif 000013
2007108111.tif 000014
2007108111.tif 000015